(57)【要約】【課題】  所望の内容量の確保と、把持性（持ちやすさ）の向上を両立することが可能な構成を提案する。【解決手段】    プラスチックボトル１の中心軸Ｃに近づくようにくびれる大くびれ部Ｐ２と、中心軸Ｃの軸方向において大くびれ部Ｐ２の両側に形成される小くびれ部Ｐ１と、を有してなる把持部Ｈｂが設けられる、プラスチックボトル１とするものである。【選択図】図１
2019156483.tif 000002
【特許請求の範囲】
【請求項１】
プラスチックボトルの中心軸に近づくようにくびれる大くびれ部と、
中心軸の軸方向において大くびれ部の両側に形成され、前記大くびれ部よりもくびれの小さい小くびれ部と、
を有してなる把持部が設けられる、プラスチックボトル。
【請求項２】
小くびれ部は、第一曲率半径の第一円弧に沿うように連続的に縮径し、
大くびれ部は、第二曲率半径の第二円弧に沿うように連続的に縮径し、
第二曲率半径は、第一曲率半径よりも小さいこととする。
ことを特徴とする請求項１に記載のプラスチックボトル。
【請求項３】
中心軸の軸方向における小くびれ部の一側、及び、他側には、それぞれ大くびれ部との境界部が形成され、
一側の境界部にて上側境界部輪郭線が構成され、
他側の境界部にて下側境界部輪郭線が構成され、
上側境界部輪郭線と下側境界部輪郭線の間の中心軸の軸方向における幅Ｈａは、
中心軸を中心とする周方向Ｒにおいて変化する、
ことを特徴とする請求項１又は請求項２に記載のプラスチックボトル。
【請求項４】
上側境界部輪郭線及び下側境界部輪郭線は、それぞれ、正弦曲線状であって、互いに位相がずれる、
ことを特徴とする請求項３に記載のプラスチックボトル。
【発明の詳細な説明】
【技術分野】
【０００１】
本発明は、飲料等が充填されるプラスチックボトルに関し、特に容器物性やユーザビリティの向上、及び、所望の内容量を実現可能とするための技術に関する。
【背景技術】
【０００２】
近年、樹脂量低減による環境負荷低減やコストダウンを目的とし、プラスチックボトルの軽量化のための取り組みが盛んに行われているが、軽量化が要求されながらも容器物性（耐荷重強度）は確保する必要があり、また、把持性（持ちやすさ）といったユーザビリティや、所望の内容量を実現可能とする技術に対する要求も依然として高いものとなっている。
【０００３】
上述した要求を実現するために、プラスチックボトルに各種の凹凸を形成することが従来より行われている。
例えば、特許文献１においては、胴中央部に、位相のずれた２本の波状凹リブに挟まれた直線状の環状リブを設ける構成を開示している。
また、特許文献２においては、胴部に、移送のズレタ２本の波線に挟まれた補強リブ（環状リブ）を設ける構成を開示している。
【先行技術文献】
【特許文献】
【０００４】
【特許文献１】特開２０１５−８５９８６号公報
【特許文献２】特開２００６−１６０７６号公報
【発明の概要】
【発明が解決しようとする課題】
【０００５】
上述の特許文献に開示されるように、従来のプラスチックボトルにおいては、容器物性（耐荷重強度）を確保することを目的として環状リブを設けることが一般的である。
【０００６】
他方、プラスチックボトルにおいては、例えば、６６０ｍｌ、６３０ｍｌ、５００ｍｌなどといった所望の内容量を確保する必要があり、この内容量の確保と、ボトルのデザインの間に相関的な関係があった。即ち、ボトルの直径を大きくすれば必要な内容量を確保することができるため、大容量のボトルをデザインするために、ボトルの全箇所において大きな直径が採用されるといったものである。
【０００７】
このため、従来のプラスチックボトルにおいては、大容量を確保するためは、手指で把持する部位も含めて大きな直径を採用するものであったため、いわゆる寸胴型の形状とならざるを得ないものであったといえる。
【０００８】
ここで、発明者らは、寸胴型のプラスチックボトルであると、胴部周りの寸法が大きくなってしまい、手指で掴み難くなることを課題として見出した。特に、内容量が大きいものは飲料も含めた重量も増大するため、手指で掴んでボトルのバランスを保持することがより難しくなることも課題として見出した。
【０００９】
従来のプラスチックボトルにおいても、環状リブによって直径が局部的に小さくなる部分を構成するものは存在するといえるが、この環状リブは主に容器物性（耐荷重強度）を改善することのみを目的とするものであり、把持性（持ちやすさ）といったユーザビリティまでを考慮したものではないといえる。
【００１０】
そこで、本発明は、以上の問題点に鑑み、所望の内容量の確保と、把持性（持ちやすさ）の向上を両立することが可能な構成を提案するものである。
【課題を解決するための手段】
【００１１】
本発明の解決しようとする課題は以上の如くであり、次にこの課題を解決するための手段を説明する。
【００１２】
即ち、本願発明は、
プラスチックボトルの中心軸に近づくようにくびれる大くびれ部と、
中心軸の軸方向において大くびれ部の両側に形成され、前記大くびれ部よりもくびれの小さい小くびれ部と、
を有してなる把持部が設けられる、プラスチックボトルとする。
【００１３】
また、好ましくは、
小くびれ部は、第一曲率半径の第一円弧に沿うように連続的に縮径し、
大くびれ部は、第二曲率半径の第二円弧に沿うように連続的に縮径し、
第二曲率半径は、第一曲率半径よりも小さいこととする。
【００１４】
また、好ましくは、
中心軸の軸方向における小くびれ部の一側、及び、他側には、それぞれ大くびれ部との境界部が形成され、
一側の境界部にて上側境界部輪郭線が構成され、
他側の境界部にて下側境界部輪郭線が構成され、
上側境界部輪郭線と下側境界部輪郭線の間の中心軸の軸方向における幅Ｈａは、
中心軸を中心とする周方向Ｒにおいて変化する、こととする。
【００１５】
また、好ましくは、
上側境界部輪郭線及び下側境界部輪郭線は、それぞれ、正弦曲線状であって、互いに位相がずれる、こととする。
【発明の効果】
【００１６】
本発明の構成によれば、所望の内容量の確保と、把持性（持ちやすさ）の向上を両立することが可能な構成が実現できる。
【図面の簡単な説明】
【００１７】
【図１】本発明の一実施形態に係るプラスチックボトルの全体側面図である。
【図２】第二区画と第三区画の部分の拡大図である。
【図３】第二区画と第三区画の部位に構成されるくびれについて説明する図である。
【図４】くびれの形状について説明する模式図である。
【発明を実施するための形態】
【００１８】
図１は、本願発明の一実施形態に係るプラスチックボトルの全体側面図である。なお、以下では説明の便宜のため、図１の紙面において上側を上、下側を下と定義し、位置関係を説明するものとする。
【００１９】
プラスチックボトル１は、
円筒状の口部１０と、
口部１０と連続する肩部２０と、
肩部２０と連続する胴部３０と、
胴部３０と連続する底部４０と、を順に有してなる。
【００２０】
また、底部４０には、口部１０を上に向けてプラスチックボトル１を水平面に置いたときに、水平面に接触する底面４２が形成される。また、底部４０の周面４３から底面４２にかけて連続する複数の溝部４４が、プラスチックボトル１の中心軸Ｃを中心として放射状に設けられている。
【００２１】
なお、本実施例のプラスチックボトル１は、円筒形状の所謂丸型ボトルで構成されるものであるが、水平断面が矩形の所謂角型ボトルについても適用することができる。また、充填物については、日本茶、紅茶、水、コーヒーなど、炭酸を含まない飲料の他、炭酸飲料も当然想定される。
【００２２】
胴部３０は、上下方向において４つの区画を有しており、上から順に、第一区画３１、第二区画３２、第三区画３３、第四区画３４とされる。各区画は周状リブによって区画される。
【００２３】
最も上の第一区画３１は、周状リブ３１ｂにより二段の大径区画３１ａ，３１ａに区画され、当該大径区画３１ａ，３１ａがプラスチックボトル１の最大直径Ｒ１を有する。
【００２４】
最も下の第四区画３４は、周状リブ３４ｂにより二段の大径区画３４ａ，３４ａに区画され、当該大径区画３４ａ，３４ａもプラスチックボトル１の最大直径Ｒ１を有する。
【００２５】
以上のようにして、第一区画３１及び第四区画３４において最大直径Ｒ１を有することとし、この最大直径Ｒ１をなす周面を上下垂直方向に結ぶ線を第一仮想線Ｋ１とする。
【００２６】
図２は、第二区画３２と第三区画３３の部分の拡大図である。
第二区画３２は、第一仮想線Ｋ１に対し、下側に向かうにつれてプラスチックボトル１の中心軸Ｃに近づくように縮径する第一縮径部３２ｘと、第一縮径部３２ｘよりもさらに縮径の変化率が大きい第二縮径部３２ｙと、を有するように構成される。なお、ここでいう、「縮径の変化率」とは、上下方向の単位長さに対する縮径の量であり、換言すれば、第一縮径部３２ｘの周面の輪郭が呈する傾き（中心軸Ｃ（垂直線）に対する傾き）よりも、第二縮径部３２ｙの周面の輪郭が呈する傾きが大きいということである。
【００２７】
第一縮径部３２ｘには周状リブ３２ｂが設けられ、第一縮径部３２ｘが上下二つに区画される。各区画の直径の縮径の変化率は同一であり、周状リブ３２ｂを跨いで下方に向かうにつれて、連続的に縮径する。
【００２８】
第一縮径部３２ｘは、第一曲率半径ｒ１の第一円弧Ｍ１に沿うように連続的に縮径するように構成される。なお、第一円弧Ｍ１に沿うようするほか、中心軸Ｃに対して傾く直線に沿うように縮径するものであってもよい。
【００２９】
同様に、第二縮径部３２ｙは、第二曲率半径ｒ２の第二円弧Ｍ２に沿うように連続的に縮径するように構成される。なお、第二円弧Ｍ２に沿うようするほか、中心軸Ｃに対して傾く直線に沿うように縮径するものであってもよい。
【００３０】
そして、第二曲率半径ｒ２は、第一曲率半径ｒ１よりも小さく設定され、第二縮径部３２ｙの縮径の変化率が、第一縮径部３２ｘの縮径の変化率よりも大きい構成としている。
【００３１】
本実施例では、第一曲率半径ｒ１は、１９４ｍｍであり、第二曲率半径ｒ２は、２５ｍｍである。
【００３２】
また、第一縮径部３２ｘと第二縮径部３２ｙの境界部Ｇ１には、上側境界部輪郭線Ｅ１が形成される。上側境界部輪郭線Ｅ１は、図２に示す側面視において正弦曲線状をなすように構成される。
【００３３】
本実施例では、上側境界部輪郭線Ｅ１は、プラスチックボトル１の周方向において、合計４周期現れるように構成され、その最大振幅が、３ｍｍとなるように構成される。
【００３４】
以上の第二区画３２の構成は、第三区画３３に対し同様に適用される。即ち、第三区画３３は、第一仮想線Ｋ１に対し、上側に向かうにつれてプラスチックボトル１の中心軸Ｃに近づくように縮径する第一縮径部３３ｘと、第一縮径部３３ｘよりもさらに縮径の変化率が大きい第二縮径部３３ｙと、を有するように構成される。
【００３５】
第二区画３２と同様に、第三区画３３の第一縮径部３３ｘは第一円弧Ｍ１に沿うように構成され、第二縮径部３３ｙは第二円弧Ｍ２に沿うように構成される。
【００３６】
また、第三区画３３において、第一縮径部３３ｘと第二縮径部３３ｙの境界部Ｇ２には、正弦曲線状の下側境界部輪郭線Ｅ２が形成される。本実施例では、図３に示すように、下側境界部輪郭線Ｅ２と上側境界部輪郭線Ｅ１の間に位相差αの位相ずれが形成されるようにしている。この位相差αは、例えば、０度以上９０度未満において設定とすることができる。なお、図３では、上側境界部輪郭線Ｅ１において最も上側に振幅が大きい部位と、下側境界部輪郭線Ｅ２において最も上側に振幅が大きい部位との位相差を、位相差αとして示している。
【００３７】
また、図２に示すように、第二区画３２と第三区画３３の間には、周状リブ３５が形成される。この周状リブ３５の部位において、胴部３０の最小直径が構成される。
【００３８】
図３は、第二区画３２と第三区画３３の部位に構成されるくびれについて説明する図であり、図４は、くびれの形状について説明する模式図である。なお、図４に示す寸法比率は、説明の便宜のため図３とは異なる比率で表示している。
【００３９】
これらの図３及び図４に示すように、第一仮想線Ｋ１と第一円弧Ｍ１は、交点ｍ１，ｍ１で交差し、第一円弧Ｍ１において中心軸Ｃ側に最も近い点Ｕ１は、第一仮想線Ｋ１から距離Ｂ１だけ離れている。換言すれば、第一円弧Ｍ１は、第一仮想線Ｋ１から中心軸Ｃ側に距離Ｂ１だけ移動させるように構成され、これにより、小くびれ部Ｐ１が構成される。この小くびれ部Ｐ１は、第二区画３２における上側境界部輪郭線Ｅ１よりも上側の領域と、第三区画３３における下側境界部輪郭線Ｅ２よりも下側の領域に、それぞれ構成される。
【００４０】
なお、小くびれ部Ｐ１を構成するために、第一仮想線Ｋ１と第一円弧Ｍ１の距離Ｂ１（移動量（中心軸Ｃ側に最も近い点Ｕ１の第一仮想線Ｋ１から中心軸Ｃ側への移動量））は、例えば３ｍｍとすることができ、またこの他にも、１ｍｍ以上８ｍｍ以下とすることができる。
【００４１】
また、小くびれ部Ｐ１は、実施例では、連続する第一円弧Ｍ１によって構成されるものとなっている。即ち、第二区画３２と第三区画３３において一連のくびれを構成するものとしている。ただし、この他にも、例えば、第二区画３２と第三区画３３において異なる円弧に沿ったくびれが構成されるものであってもよい。
【００４２】
また、第二円弧Ｍ２において中心軸Ｃ側に最も近い点Ｕ２は、第一仮想線Ｋ１から距離Ｂ２だけ離れている。換言すれば、第二円弧Ｍ２は、第一仮想線Ｋ１から中心軸Ｃ側に距離Ｂ２だけ移動させるように構成され、これにより、大くびれ部Ｐ２が構成される。
【００４３】
なお、大くびれ部Ｐ２を構成するために、第一仮想線Ｋ１と第二円弧Ｍ２の距離Ｂ２（移動量（中心軸Ｃ側に最も近い点Ｕ２の中心軸Ｃ側への移動量））は、例えば、５．５ｍｍとすることができ、またこの他にも、２ｍｍ以上１６ｍｍ以下の範囲で設定することができる。
【００４４】
そして、以上のように構成される小くびれ部Ｐ１と大くびれ部Ｐ２により、中心軸Ｃの軸方向の略中央部において、把持部Ｈｂが構成される。把持部Ｈｂには図示せぬプラスチックフィルムからなるラベルが巻回される。
【００４５】
以上のようにして本発明を実施することができる。
即ち、図１乃至図３に示すように、
プラスチックボトル１の中心軸Ｃに近づくようにくびれる大くびれ部Ｐ２と、
中心軸Ｃの軸方向において大くびれ部Ｐ２の両側に形成され、前記大くびれ部Ｐ２よりもくびれの小さい小くびれ部Ｐ１と、
を有してなる把持部Ｈｂが設けられる、プラスチックボトル１とするものである。
【００４６】
これにより、大くびれ部Ｐ２と小くびれ部Ｐ１により、径の細い把持部Ｈｂを構成することができ、くびれのない寸胴型のものと比較して優れた把持性（ユーザビリティ）を確保することができる。また、プラスチックボトル１全体として内容量を多くした場合であっても、当該把持部Ｈｂが設けられることにより、把持性を確保できることとなる。また、二段階のくびれが形成されることにより、視覚的に把持部Ｈｂをより認識させ易くすることができ、ユーザーをより容易に当該把持部Ｈｂに誘導することができる。特に、把持部Ｈｂにプラスチックフィルムを巻回した場合には、小くびれ部Ｐ１だけであるとそのくぼみが小さいことにより、把持部Ｈｂをユーザーに認識させ難いこととなるが、さらにくびれた大くびれ部Ｐ２が存在することにより、当該大くびれ部Ｐ２にプラスチックフィルムをシュリンクさせることで、把持部Ｈｂの存在をよりはっきりと認識させることができる。さらに、小くびれ部Ｐ１と大くびれ部Ｐ２の間に、断面において外側（中心軸Ｃの反対側）に凸形状をなす境界部Ｇ１，Ｇ２（図２、図３）を形成することができ、当該境界部Ｇ１，Ｇ２が補強部として機能することにより、容器物性（耐荷重強度）の向上が図られる。
【００４７】
また、図２に示すように、
小くびれ部Ｐ１は、第一曲率半径ｒ１の第一円弧Ｍ１に沿うように連続的に縮径し、
大くびれ部Ｐ２は、第二曲率半径ｒ２の第二円弧Ｍ２に沿うように連続的に縮径し、
第二曲率半径ｒ２は、第一曲率半径ｒ１よりも小さいこととする。
【００４８】
これにより、小くびれ部Ｐ１、及び、大くびれ部Ｐ２の周面が、円弧状の斜面に構成され、より手指になじみ易い構成を実現することができる。
【００４９】
また、図２及び図３に示すように、
中心軸Ｃの軸方向における小くびれ部Ｐ１の一側、及び、他側には、それぞれ大くびれ部Ｐ２との境界部Ｇ１，Ｇ２が形成され、
一側の境界部Ｇ１にて上側境界部輪郭線Ｅ１が構成され、
他側の境界部Ｇ２にて下側境界部輪郭線Ｅ２が構成され、
上側境界部輪郭線Ｅ１と下側境界部輪郭線Ｅ２の間の中心軸Ｃの軸方向における幅Ｈａは、
中心軸Ｃを中心とする周方向Ｒにおいて変化する、こととする。
【００５０】
これにより、図１に示すように、輪郭線の間の幅Ｈａが広い箇所Ａ１と狭い箇所Ａ２を構成することができ、広い箇所Ａ１では親指の収まりがよく、狭い箇所Ａ２では人差し指の収まりがよい、といった構成を実現することができ、より、把持性（ユーザビリティ）に優れた構成を実現できる。
【００５１】
また、図３に示すように、
上側境界部輪郭線Ｅ１及び下側境界部輪郭線Ｅ２は、それぞれ、正弦曲線状であって、互いに位相がずれる、こととする。
【００５２】
これにより、図１に示すように、輪郭線の間の幅Ｈａが広い箇所Ａ１と狭い箇所Ａ２を構成することができるとともに、上側境界部輪郭線Ｅ１及び下側境界部輪郭線Ｅ２が、周期的な曲線を構成することになり、より手指になじみ易い構成が実現できる。
【符号の説明】
【００５３】
１    プラスチックボトル
１０    口部
２０    肩部
３０    胴部
３１    第一区画
３１ａ    大径区画
３１ｂ    周状リブ
３２    第二区画
３２ｂ    周状リブ
３２ｘ    第一縮径部
３２ｙ    第二縮径部
３３    第三区画
３３ｘ    第一縮径部
３３ｙ    第二縮径部
３４    第四区画
３４ａ    大径区画
３４ｂ    周状リブ
３５    周状リブ
４０    底部
４２    底面
４３    周面
４４    溝部
Ｃ    中心軸
Ｅ１    上側境界部輪郭線
Ｅ２    下側境界部輪郭線
Ｇ１    境界部
Ｇ２    境界部
Ｈａ    幅
Ｈｂ    把持部
Ｋ１    第一仮想線
Ｍ１    第一円弧
Ｍ２    第二円弧
Ｐ１    小くびれ部
Ｐ２    大くびれ部
Ｒ１    最大直径
Ｒ    周方向
ｒ１    第一曲率半径
ｒ２    第二曲率半径
α    位相差
【図１】
2019156483.tif 000003
【図２】
2019156483.tif 000004
【図３】
2019156483.tif 000005
【図４】
2019156483.tif 000006